(57)【要約】【課題】  可動部が水中に位置しているために、塵芥、流木等が引っ掛かって作動しないことがないようにする。部品点数を減らす。多数の特注品を用いることにより、コスト高となるのを防止する。網体が風・波などの外力によって真直ぐに垂れ下った状態からみだりに動くのを防止する。【解決手段】  フロート１により半水没状に支持されるＵ字状のゲートフレーム２に、一点を中心にして遮断機のように作動させ得るゲート杆３を設ける。そして、このゲート杆３には、その開閉時において前記ゲートフレーム２により形成される出入口2aを開閉する網体４を取り付ける。ゲート杆３の回動中心を水面より上方に位置させる。ウインチ７でゲート杆３を作動させる。ウインチ７を水面より上方に配置する。ゲート杆３から垂下させてある網体４の左右両側を、網体乱れ防止ガイド８，８でそれぞれ保持する。【選択図】図４
2005248609.tif 000002
【特許請求の範囲】
【請求項１】
フロートにより半水没状に支持されるＵ字状のゲートフレームに、一点を中心にして遮断機のように作動させ得るゲート杆を設け、このゲート杆には、その開閉時において前記ゲートフレームにより形成される出入口を開閉する網体を取り付けたことを特徴とする自動通船ゲート。
【請求項２】
ゲート杆の回動中心を水面より上方に位置させることを特徴とする請求項１記載の自動通船ゲート。
【請求項３】
ゲート杆の作動手段をウインチとし、それを水面より上方に配置するとともに、ウインチのワイヤロープ先端側をゲート杆に取り付けることを特徴とする請求項１又は２記載の自動通船ゲート。
【請求項４】
ゲート杆から垂下させてある網体の左右両側を、網体乱れ防止ガイドで保持しておくことを特徴とする請求項１記載の自動通船ゲート。
【請求項５】
網体乱れ防止ガイドの途中を折曲させ得るようにしたことを特徴とする請求項４記載の自動通船ゲート。
【発明の詳細な説明】
【技術分野】
【０００１】
本発明は、貯水池やダム湖等の取水口に塵芥や流木などが流れ込むのを防止するためにその前方に設けられる流木止め設備や、ダム付帯設備その他の浮体構造に用いられる通船ゲート、さらに詳しくは、フロートにより半水没状に支持されるＵ字状のゲートフレームに、一点を中心にして遮断機のように回動させ得るゲート杆を備えたものに関する。
【背景技術】
【０００２】
例えば、貯水池やダム湖等に設置されている流木止め設備Ａの途中には、図１に示すように、集塵船や巡視船が通過できるように通船ゲートＢが用いられ、常時は閉じていて塵芥、流木などが流れるのを阻止し、通船時はゲートを開いて船を通す役目をしている。
【０００３】
この通船ゲートＢは、例えば、フロートにより半水没状に支持されるＵ字状の枠体に上下摺動可能に扉を配置し、この扉を吊り下げているワイヤロープを上下させることにより、扉を開閉させている（特許文献１参照）。
【特許文献１】特公平２−１６８１０号公報
【発明の開示】
【発明が解決しようとする課題】
【０００４】
特許文献１に示す通船ゲートによれば、前記ワイヤロープならびにこれを掛架するローラなどの可動部が水中に位置しているために、塵芥、流木等が引っ掛かって作動しないことがある。また、それだけ故障も多いという欠点があった。しかも、ワイヤロープやローラなど部品点数が多いのみならず、特注品を数多く用いなければならないので、コスト高となるという致命的欠点があった。
【課題を解決するための手段】
【０００５】
本発明は、これらの欠点を解消することを目的とするものであって、フロートにより半水没状に支持されるＵ字状のゲートフレームに、一点を中心にして遮断機のように作動させ得るゲート杆を設け、このゲート杆には、その開閉時において前記ゲートフレームにより形成される出入口を開閉する網体を取り付けたことを特徴とするものである。
【０００６】
ゲート杆がＵ字状のゲートフレームを遮断している場合には、図３に示すように、このゲート杆に取り付けられている網体がＵ字状のゲートフレームにより形成される出入口を閉じていて、塵芥、流木などが流れるのを阻止することができる。逆に、図４に示すように、ゲート杆が一点を中心にして作動して上がっている時は、このゲート杆に取り付けられている網体も引き上げられていてＵ字状のゲートフレームにより形成される出入口は開いているから、通船可能である。
【０００７】
この構成によれば、部品点数も少なくて済み、また、特注品を用いなくてもよいから、コストを削減することができるのみならず、組立・据付時間を短縮することができ、合わせて、軽量化を図ることができる。
【０００８】
ゲート杆の回動中心を水面より上方に位置させるのが望ましい。この場合には、可動部であるゲート杆の枢着部分が水面より上方に位置しているので、故障が少ない。万一故障しても、水上で修理可能であるから、修理を簡単に行うことができる。
【０００９】
ゲート杆の作動手段をウインチとし、それを水面より上方に配置するとともに、ウインチのワイヤロープ先端側をゲート杆に取り付けておくのが望ましい。ウインチを作動させてワイヤロープを巻き取ると、ゲート杆が一点を中心にして回動して上がり、このゲート杆に取り付けられている網体も引き上げられ、Ｕ字状のゲートフレームにより形成される出入口を開くことができる。逆に、ワイヤロープを繰り出すと、ゲート杆が一点を中心にして回動して下がり、このゲート杆に取り付けられている網体がＵ字状のゲートフレームにより形成される出入口を閉じる。
これらの場合において、可動部であるウインチが水面より上方に位置しているので、故障が少ない。万一故障しても、水上で修理可能であるから、修理を簡単に行うことができる。
【００１０】
ゲート杆から垂下させてある網体の左右両側を、網体乱れ防止ガイドで保持しておくのが望ましい。ゲート杆から垂下させてある網体の左右両側が網体乱れ防止ガイドで保持されていると、ゲート杆から垂下させてある網体が風・波などそれにかかる外力によって真直ぐに垂れ下った状態からむやみに動くのを防止できるので、流木止め設備やダム付帯設備その他の浮体構造の機能が損なわれることがなく、特に、荒天時においてもその機能を維持することができる。
【００１１】
網体乱れ防止ガイドの途中を折曲させ得るようにしておくとよい。このようにしておくと、ゲート杆が作動して上がっている時、このゲート杆から延び出ている網体乱れ防止ガイドが途中で折れ曲がり、前記ゲート杆と折れ曲がった網体乱れ防止ガイドとの間で１枚の網体が折り畳まれたようになるので、網体の全重量が適度に分散され、網体乱れ防止ガイドが折損することがない。
【発明の効果】
【００１２】
請求項１記載の発明によれば、部品点数も少なくて済み、また、特注品を用いなくてもよいから、コストを削減することができるのみならず、組立・据付時間を短縮することができ、合わせて、軽量化を図ることができる。
【００１３】
請求項２記載の発明によれば、可動部であるゲート杆の枢着部分が水面より上方に位置しているので、故障が少なく、万一故障しても、水上で修理可能であるから、修理を簡単に行うことができる。
【００１４】
請求項３記載の発明によれば、可動部であるウインチが水面より上方に位置しているので、故障が少なく、万一故障しても、水上で修理可能であるから、修理を簡単に行うことができる。
【００１５】
請求項４記載の発明によれば、ゲート杆から垂下させてある網体が風・波などそれにかかる外力によって真直ぐに垂れ下った状態からむやみに動くのを防止できるので、流木止め設備やダム付帯設備その他の浮体構造の機能が損なわれることがなく、特に、荒天時においてもその機能を維持することができる。
【００１６】
請求項５記載の発明によれば、ゲート杆が作動して上がっている時、このゲート杆から延び出ていて網体の側縁を保持している網体乱れ防止ガイドが途中で折れ曲がり、前記ゲート杆と折れ曲がった網体乱れ防止ガイドとの間で１枚の網体が折り畳まれたようになるので、網体の全重量が適度に分散され、網体乱れ防止ガイドが折損することがない。
【発明を実施するための最良の形態】
【００１７】
本発明の好ましい実施の形態を、図面に基づいて詳細に説明する。
流木止め設備Ａは、図１に示すように、貯水池やダム湖等の取水口の前方に設置されるものであり、その途中には通船ゲートＢが設けられている。図２、図３に、本発明の通船ゲートＢの概要を示す。
【００１８】
ここには、左側において前後に隣接する２つのフロートと右側において前後左右に隣接する４つのフロート（同一の図面符号１で示す）により半水没状に支持されるＵ字状のゲートフレーム２が配置され、このゲートフレーム２の上端に水平方向の軸3aを中心にして遮断機のように作動させ得るゲート杆３を設けた通船ゲートが例示してある。
【００１９】
そして、このゲート杆３には、その開閉時において前記ゲートフレーム２により形成される出入口2aを開閉する方形状の網体４がゲート杆３の長手方向に垂下するように取り付けられている。例えば、図５に示すように、方形状の網体４の上端縁を結束ロープ4aでゲート杆３に縛り付けることにより、１枚の網体４をゲート杆３から垂下させることができる。なお、網体４はポリエチレンその他の合成樹脂製とすることができる。
【００２０】
ゲート杆３の回動中心となる前記軸3aは、水面Ｗより上方に位置するプラットホーム５上の保持部材5aで保持されている。
可動部であるゲート杆３の枢着部分、すなわち、ゲート杆３の回動中心となる軸3aが水面Ｗより上方に位置するプラットホーム５上に位置していると、可動部が水面Ｗ下に位置している場合に比べてはるかに故障が少ない。万一故障しても、水面Ｗより上方に位置するプラットホーム５上で修理可能であるから、修理を簡単に行うことができる。
【００２１】
プラットホーム５は、図２〜図４の右側において前後左右に隣接する４つのフロート上と、図２〜図４の左側において前後に隣接する２つのフロート上にそれぞれ配置されている。なお、左右２つのプラットホーム５，５の内側（ゲートフレーム２にいずれも近い側）には、手すり６がいずれも立設されている。
【００２２】
ここでは、軸3aを中心にしてゲート杆３を作動させるための手段として、ウインチ７を用いた場合が例示されている。そして、このウインチ７を水面Ｗより上方に位置するプラットホーム５上の取付部材5bに取り付けるとともに、ウインチ７のドラムに巻き付けられているワイヤロープ7aの先端側を、この取付部材5bの上端部に設けたローラ7bを経由させて前記ゲート杆３に取り付けてある。
【００２３】
ウインチ７を作動させてワイヤロープ7aをドラムに巻き取ると、図４に示すように、ゲート杆３が作動して前記軸3aを中心にして上がり、このゲート杆３に取り付けられている方形状の網体４も引き上げられ、Ｕ字状のゲートフレーム２により形成される出入口2aを開くことができる。逆に、ワイヤロープ7aをドラムから繰り出すと、ゲート杆３が作動して前記軸3aを中心にして下がり、図３に示すように、このゲート杆３に取り付けられている方形状の網体４がＵ字状のゲートフレーム２により形成される出入口2aを閉じる。
【００２４】
このように、水平方向の軸3aを中心にしてゲート杆３を作動させるための手段としてのウインチ７が水面Ｗより上方に位置するプラットホーム５よりさらに上方に位置していると、可動部が水面Ｗ下に位置している場合に比べてはるかに故障が少ない。万一故障しても、水面Ｗより上方に位置するプラットホーム５上で修理可能であるから、修理を簡単に行うことができる。
【００２５】
ここに例示する自動通船ゲートであれば、ゲートを構成する部品ならびにゲート杆を作動させるための動力源を含む部品の点数も少なくて済み、また、特注品を用いる必要がなく、カタログに載っているような普通の品を用いればよいから、コストを削減することができるのみならず、組立・据付時間を短縮することができ、合わせて、軽量化を図ることができる。
【００２６】
前記ゲート杆３から垂下させてある１枚の網体４の左右両側縁部を、左右２本の網体乱れ防止ガイド８，８で保持してある。左右２本の網体乱れ防止ガイド８，８は１本のゲート杆３から方形状の網体４の横幅に対応させた間隔を隔てて直角方向に延び出させてあり、例えば、図５に示すように、１枚の網体４の左右両側縁部を結束ロープ4a，4aで両網体乱れ防止ガイド８，８にそれぞれ縛り付けることにより、１枚の網体４の左右両側縁部を左右２本の網体乱れ防止ガイド８，８で保持することができる。
なお、網体４の「乱れ」とは、ゲート杆３から垂下させてある網体４が、風・波などそれにかかる外力によって真直ぐに垂れ下った状態からむやみに動くことをいう。
このように、ゲート杆３から垂下させてある網体４の左右両側縁部が左右２本の網体乱れ防止ガイド８，８で保持されていると、ゲート杆３から垂下させてある１枚の網体４が、風・波などそれにかかる外力によって真直ぐに垂れ下った状態からむやみに動くのを防止できるのみならず、激しく揺れるのを防止できる。
【００２７】
ここには、１本のゲート杆３に左右２本の網体乱れ防止ガイド８，８の上端をそれぞれ固定し、その途中をいずれも折曲させ得るように、しかも、左右の網体乱れ防止ガイド８，８の自由端である下端に、ゲート杆３から垂下させてある１枚の網体４の左右下コーナー部分をそれぞれ定着した場合が例示されている。例えば、１本の網体乱れ防止ガイド８を少なくとも上下２つに分割し、図５に示すように、両者の付き合わせ部分をヒンジピン９で互いに枢着しておけば、１本の網体乱れ防止ガイド８の途中を折曲可能とすることができる。
【００２８】
このようにしておくと、ゲート杆３が作動して上がっている時、このゲート杆３から延び出させてある２本の網体乱れ防止ガイド８，８が図４に示すようにいずれも途中で折れ曲がり、前記ゲート杆３と折れ曲がった左右２本の網体乱れ防止ガイド８，８との間で１枚の網体４が折り畳まれたようになるので、網体４の全重量が適度に分散され、少なくとも上側に位置する網体乱れ防止ガイド８が折損することがない。
【００２９】
なお、図面符号10はプラットホーム５上に設置した制御盤、11は同じくプラットホーム５上に設置した太陽電池で、遠隔操作によりウインチ７を自動的に作動させ得るようにすることによって、前記ゲート杆３を離れたところから開閉させることが可能となる。また、図面符号12はプラットホーム５から垂下させた網体であり、図面符号13は本自動通船ゲートＢの左右両側に取り付けた上下一対の連結ピンで、本自動通船ゲートＢを網場用として用いた場合において網場を連結することができる。
【産業上の利用可能性】
【００３０】
本自動通船ゲートＢは、貯水池やダム湖等の取水口に塵芥や流木などが流れ込むのを防止するためにその前方に設けられる流木止め設備や、ダム付帯設備その他の浮体構造の網場用あるいはフェンス用の通船ゲートとして用いることができる。
【図面の簡単な説明】
【００３１】
【図１】通船ゲートを有する流木止め設備の設置状態を示す平面図である。
【図２】本発明の通船ゲートの一例を示す平面図である。
【図３】本発明の通船ゲートの一例を示す正面図で、出入口が閉じられた状態を示す。
【図４】図３の状態からゲート杆が作動し、出入口が開かれた状態を示す。
【図５】ゲート杆とこのゲート杆から垂下させてある網体とこの網体の左右両側縁部が網体乱れ防止ガイドで保持されている状態を拡大して示す正面図である。
【符号の説明】
【００３２】
１…フロート、２…ゲートフレーム、2a…出入口、３…ゲート杆、3a…軸、４…網体、７…ウインチ、7a…ワイヤロープ、８…網体乱れ防止ガイド、９…ヒンジピン、Ａ…流木止め設備、Ｂ…通船ゲート、Ｗ…水面。
【図１】
2005248609.tif 000003
【図２】
2005248609.tif 000004
【図３】
2005248609.tif 000005
【図４】
2005248609.tif 000006
【図５】
2005248609.tif 000007